(57)【要約】支柱支持部材１００は、テントのような構造物の支柱１１０の外周側面の一部を案内するためのウエイト部材１０２と、支柱１１０をウエイト部材１０２に対して保持するために、ウエイト部材１０２に対して固定されるようになっている止め部材１０４とを含む。ウエイト部材１０２は、垂直方向に延びる第１の側面１０２ａと、垂直方向に延びかつ第１の側面１０２ａと交わるように配置された第２の側面１０２ｂと、垂直方向に延びかつ第１の側面１０２ａおよび第２の側面１０２ｂと交わるように配置された第３の側面１０２ｊと、第１の側面１０２ａと第２の側面１０２ｂが交わる交叉線１０２ｃにそって垂直方向に延び、かつ、支柱１１０の外周側面の一部を案内するための案内凹部１０２ｄとを有する。第１の側面１０２ａと第２の側面１０２ｂは、直角をなすように配置されるのが好ましい。
2005005755.tif 000002
【特許請求の範囲】
【請求項１】
構造物の支柱を支持するための支柱支持部材であって、
前記支柱の外周側面の一部を案内するためのウエイト部材を備え、該ウエイト部材は、垂直方向に延びる第１の側面と、垂直方向に延びかつ前記第１の側面と交わるように配置された第２の側面と、前記第１の側面と前記第２の側面が交わる交叉線にそって垂直方向に延び、かつ、前記支柱の外周側面の一部を案内するための案内凹部とを有しており、
さらに、前記支柱を前記ウエイト部材に対して保持するために、前記ウエイト部材に対して固定されるようになっている止め部材を含む、
ことを特徴とする支柱支持部材。
【請求項２】
前記ウエイト部材の前記第１の側面と前記第２の側面は、直角をなすように配置されることを特徴とする請求の範囲第１項に記載の支柱支持部材。
【請求項３】
構造物の支柱を支持するための支柱支持部材であって、
前記支柱の外周側面の一部を案内するためのウエイト部材を備え、該ウエイト部材は、垂直方向に延びる第１の側面と、垂直方向に延びかつ前記第１の側面と平行に、或いは、９０度以下の角度をなして配置された第２の側面と、前記第１の側面および前記第２の側面とを連結する部分に形成され、かつ、垂直方向に延び、かつ、前記支柱の外周側面の一部を案内するための案内凹部とを有しており、
さらに、前記支柱を前記ウエイト部材に対して保持するために、前記ウエイト部材に対して固定されるようになっている止め部材を含む、
ことを特徴とする支柱支持部材。
【請求項４】
構造物の支柱を支持するための支柱支持部材であって、
前記支柱の外周側面の一部を案内するためのウエイト部材を備え、
該ウエイト部材は、
少なくとも一部が垂直方向に延びる外周側面と、
前記外周側面に連続して形成され、かつ、垂直方向に延び、かつ、前記支柱の外周側面の一部を案内するための案内凹部とを有しており、
さらに、前記支柱を前記ウエイト部材に対して保持するために、前記ウエイト部材に対して固定されるようになっている止め部材を含む、
ことを特徴とする支柱支持部材。
【請求項５】
液体及び／又は固体を収容するための収容部が、前記ウエイト部材に設けられることを特徴とする請求の範囲第１項〜第４項のいずれか１項に記載の支柱支持部材。
【請求項６】
前記ウエイト部材の収容部は、前記ウエイト部材に対して着脱可能なように入れ子式に設けられることを特徴とする請求の範囲第５項に記載の支柱支持部材。
【請求項７】
前記止め部材の一部を受け入れて前記止め部材を前記ウエイト部材に固定するための受入部が、前記ウエイト部材に設けられることを特徴とする請求の範囲第１項〜第４項のいずれか１項に記載の支柱支持部材。
【請求項８】
複数のウエイト部材を連結するための連結アームを取り付けるためのアーム取付部が、前記ウエイト部材に設けられることを特徴とする請求の範囲第１項〜第４項のいずれか１項に記載の支柱支持部材。
【請求項９】
前記止め部材は、一端が前記ウエイト部材に固定された第１ロック部材と、一端が前記ウエイト部材に固定された第２ロック部材とを含み、第１ロック部材を第２ロック部材に対してロックすることにより前記支柱を前記ウエイト部材に対して保持することができるように構成されることを特徴とする請求の範囲第１項〜第４項のいずれか１項に記載の支柱支持部材。
【請求項１０】
前記ウエイト部材を移動させるための車輪が、前記ウエイト部材に設けられることを特徴とする請求の範囲第１項〜第９項のいずれか１項に記載の支柱支持部材。
【請求項１１】
横幕のひもを固定するために、１つ以上の取付穴が前記ウエイト部材に設けられることを特徴とする請求の範囲第１項〜第９項のいずれか１項に記載の支柱支持部材。
【請求項１２】
前記ウエイト部材は、第１の支柱の外周側面の一部を案内するために垂直方向に延びる第１支柱案内部と、第２の支柱及び第３の支柱を近接させた状態で保持するために、前記第２の支柱及び前記第３の支柱のそれぞれの外周側面の一部を保持するために垂直方向に延びる第２支柱保持部が設けられることを特徴とする請求の範囲第１項に記載の支柱支持部材。
【発明の詳細な説明】
【技術分野】  本発明は、複数の支柱と、支柱に取り付けられた上部構造部材を有する構造物の支柱を支持するための支柱支持部材に関する。特に、本発明は、ウエイト部材および止め部材を用いて、天蓋などの上部構造部材を有するテントの支柱を支持することができる支柱支持部材に関する。
【背景技術】  従来の支柱安定具は、接合された状態で支柱が上下方向に貫通する貫通孔を形成し、貫通孔を通る面において分割された複数個の分割ブロック体と、各ブロック体に設けられた把手凹部および握り部と、分割ブロック体を分離可能に結合するための接合手段と、分割ブロック体の内部に形成された容器部とを備えている（例えば、特許文献１参照）。
また、従来の簡易ハウスの支柱固定具は、帆布もしくはプラスチックなどから成り、左右上面に注排水口を有し、それぞれ左右に防水性の袋を内蔵した縦２分割型の中空截頭多角錘形の構造を備えている（例えば、特許文献２参照）。
さらに、従来の空気膜構造体の固定用アンカーバッグは、開口部を有しており、液体の注入口又は排出口が少なくとも２個備えられ、空気膜構造体と結合する固定具が少なくとも２個備えられている（例えば、特許文献３参照）。
しかしながら、上記の支柱安定具、支柱固定具、固定用アンカーバッグは、テントの脚（支柱）の全周囲にわたって出っ張る。このため、上記の支柱安定具などでテントの脚（支柱）を保持すると、横幕の下部をテントの脚（支柱）に取り付けることができなくなる。一般に、横幕のひもの取付個所は、必ずといってよいほど、横幕の再上部の角と、横幕の最下部の角とに配置されている。したがって、上記の支柱安定具などを用いた場合、横幕の最下部の角に配置されたひもの取付個所を用いて、横幕の下部をテントの支柱に取り付けることはできない。すなわち、上記の支柱安定具などを用いた場合、支柱安定具に接していない支柱の部分に横幕を取り付けることができるが、横幕を固定していない横幕の下方部分は、見た目も見苦しく、風が吹くとひらひらと舞ってしまう問題があった。
また、上記の支柱安定具、支柱固定具、固定用アンカーバッグは、水平断面形状が円形であるので、保管・収納時にデッドスペースを発生させるおそれがある。
また、上記の支柱安定具、支柱固定具、固定用アンカーバッグは、運搬が容易でない課題がある。
また、上記の支柱安定具、支柱固定具、固定用アンカーバッグは、テントの横揺れを防止するのが容易でない課題がある。
【特許文献１】        特公平８−６５０９号公報（第３〜５頁、第１図〜第４図参照）
【特許文献２】        実開昭６３−５４７４４号公報（第１頁、第１図〜第２図参照）
【特許文献３】        特開２０００−６４６６８号公報（第２〜３頁参照）
〔発明の目的〕
本発明の目的は、積み重ねて保管することができる形状を有するテント用支柱支持部材を提供することにある。
本発明の他の目的は、テントの支柱を支持した後、横幕を取り付けることができるように構成されたテント用支柱支持部材を提供することにある。
本発明のさらに他の目的は、横幕を取り付けたとき、横幕のシルエットを限りなく水平に保つことができるように構成されたテント用支柱支持部材を提供することにある。
本発明のさらに他の目的は、保管・収納スペースを極力無駄にしない形状を有するテント用支柱支持部材を提供することにある。
本発明のさらに他の目的は、運搬が楽であるように構成されたテント用支柱支持部材を提供することにある。
本発明のさらに他の目的は、テントの揺れを防止することが可能であるように構成されたテント用支柱支持部材を提供することにある。
本発明のさらに他の目的は、広告媒体として活用することができるように構成されたテント用支柱支持部材を提供することにある。
本発明のさらに他の目的は、テントの支柱に対して水平に１８０度向きを変えて設置することによって、テントの内部の有効な使用可能面積を１００％に近づけることが可能になるように構成されたテント用支柱支持部材を提供することにある。
【発明の開示】
本発明は、構造物の支柱を支持するための支柱支持部材であって、支柱の外周側面の一部を案内するためのウエイト部材を備え、ウエイト部材は、垂直方向に延びる第１の側面と、垂直方向に延びかつ前記第１の側面と交わるように配置された第２の側面と、前記第１の側面と前記第２の側面が交わる交叉線にそって垂直方向に延び、かつ、前記支柱の外周側面の一部を案内するための案内凹部とを有しており、さらに、支柱をウエイト部材に対して保持するために、ウエイト部材に対して固定されるようになっている止め部材を含むことを特徴とする。
本発明の支柱支持部材は、テントの支柱を支持した後、横幕を取り付けることができ、横幕を取り付けたとき、横幕のシルエットを限りなく水平に保つことができる。
本発明の支柱支持部材では、ウエイト部材の前記第１の側面と前記第２の側面は、直角をなすように配置されるのが好ましい。この構成により、支柱支持部材を積み重ねて保管することができ、保管・収納スペースを有効に活用することができる。
また、本発明は、構造物の支柱を支持するための支柱支持部材であって、支柱の外周側面の一部を案内するためのウエイト部材を備え、ウエイト部材は、垂直方向に延びる第１の側面と、垂直方向に延びかつ前記第１の側面と平行に、或いは、９０度以下の角度をなして配置された第２の側面と、前記第１の側面および前記第２の側面とを連結する部分に形成され、かつ、垂直方向に延び、かつ、前記支柱の外周側面の一部を案内するための案内凹部とを有しており、さらに、支柱をウエイト部材に対して保持するために、ウエイト部材に対して固定されるようになっている止め部材を含むことを特徴とする。この構成により、テントの支柱を支持した後、横幕を取り付けることができ、横幕を取り付けたとき、横幕のシルエットを限りなく水平に保つことができる。
また、本発明は、構造物の支柱を支持するための支柱支持部材であって、支柱の外周側面の一部を案内するためのウエイト部材を備え、ウエイト部材は、少なくとも一部が垂直方向に延びる外周側面と、外周側面に連続して形成され、かつ、垂直方向に延び、かつ、支柱の外周側面の一部を案内するための案内凹部とを有しており、さらに、支柱を前記ウエイト部材に対して保持するために、ウエイト部材に対して固定されるようになっている止め部材を含むことを特徴とする。この構成により、テントの支柱を支持した後、横幕を取り付けることができ、横幕を取り付けたとき、横幕のシルエットを限りなく水平に保つことができる。
本発明の支柱支持部材では、液体及び／又は固体を収容するための収容部が、ウエイト部材に設けられるのが好ましい。この構成により、利用時だけ、支柱支持部材に液体及び／又は固体を入れて、支柱支持部材の重量を増すことができる。
また、本発明の支柱支持部材では、ウエイト部材の収容部は、ウエイト部材に対して着脱可能なように入れ子式に設けられるのが好ましい。この構成により、収容部をウエイト部材の本体から外して、容易に収容部の中に水などを入れることができる。また、この構成により、収容部をウエイト部材の本体から外して、この収容部を容易に運搬することができる。
また、本発明の支柱支持部材では、止め部材の一部を受け入れて止め部材をウエイト部材に固定するための受入部が、ウエイト部材に設けられるのが好ましい。
また、本発明の支柱支持部材では、複数のウエイト部材を連結するための連結アームを取り付けるためのアーム取付部が、ウエイト部材に設けられるのが好ましい。連結アームを用いることにより、テントの横揺れを防止することが可能になる。
また、本発明の支柱支持部材では、止め部材は、一端がウエイト部材に固定された第１ロック部材と、一端がウエイト部材に固定された第２ロック部材とを含み、第１ロック部材を第２ロック部材に対してロックすることにより支柱をウエイト部材に対して保持することができるように構成されるのが好ましい。この構成により、支柱支持部材を支柱に取り付けるとき、および、支柱支持部材を支柱から取り外すときに、特別な工具を必要とせず、支柱支持部材を簡単に取り扱うことができる。
また、本発明の支柱支持部材では、ウエイト部材を移動させるための車輪が、ウエイト部材に設けられるのが好ましい。この構成により、ウエイト部材を容易に運搬することができる。
また、本発明の支柱支持部材では、横幕のひもを固定するために、１つ以上の取付穴がウエイト部材に設けられるのが好ましい。この構成により、横幕の下部に位置したひもを支柱支持部材に固定するすることができるので、取り付けられた横幕は見た目がよく、風により舞うおそれもない。
また、本発明の支柱支持部材では、ウエイト部材は、第１の支柱の外周側面の一部を案内するために垂直方向に延びる第１支柱案内部と、第２の支柱及び第３の支柱を近接させた状態で保持するために、前記第２の支柱及び前記第３の支柱のそれぞれの外周側面の一部を保持するために垂直方向に延びる第２支柱保持部が設けられるのが好ましい。この構成により、１種類のウエイト部材を用意するだけで、１本の支柱を支持することができ、また、２本の支柱を同時に支持することもできる。
【図面の簡単な説明】  図１は、本発明の支柱支持部材の第１の実施の形態において、支柱支持部材により支柱を支持している状態を示す斜視図である。
図２は、本発明の支柱支持部材の第１の実施の形態において、ウエイト部材を示す斜視図である。
図３は、本発明の支柱支持部材の第１の実施の形態において、止め部材を示す斜視図である。
図４は、本発明の支柱支持部材の第１の実施の形態において、支柱支持部材により支柱を支持し、さらに、２本の支柱の間に横断幕を取りつけた状態を示す斜視図である。
図５は、本発明の支柱支持部材の第１の実施の形態において、連結アームにより２つの支柱支持部材を連結している状態を示す正面図である。
図６は、本発明の支柱支持部材の実施の形態において、正方形断面の支柱を支持している構造を示す上面図である。
図７は、本発明の支柱支持部材の実施の形態において、大きい正方形断面の支柱を支持している構造を示す上面図である。
図８は、本発明の支柱支持部材の実施の形態において、小さい正方形断面の支柱を支持している構造を示す上面図である。
図９は、本発明の支柱支持部材の実施の形態において、円形断面の支柱を支持している構造を示す上面図である。
図１０は、本発明の支柱支持部材の実施の形態において、四角形断面の支柱支持部材により正方形断面の支柱を支持している構造を示す上面図である。
図１１は、本発明の支柱支持部材の実施の形態において、鈍角三角形断面の支柱支持部材により円形断面の支柱を支持している構造を示す上面図である。
図１２は、本発明の支柱支持部材の実施の形態において、鋭角三角形断面の支柱支持部材により円形断面の支柱を支持している構造を示す上面図である。
図１３は、本発明の支柱支持部材の実施の形態において、長方形断面の支柱支持部材により正方形断面の支柱を支持している構造を示す上面図である。
図１４は、本発明の支柱支持部材の第１の実施の形態において、連結アームにより２つの支柱支持部材を連結している他の状態を示す上面図である。
図１５は、本発明の支柱支持部材の第２の実施の形態において、支柱支持部材とロック部材を示す斜視図である。
図１６は、本発明の支柱支持部材の第２の実施の形態において、ウエイト部材とロック部材により支柱を支持している状態を示す上面図である。
図１７は、本発明の支柱支持部材の第３の実施の形態において、支柱支持部材により支柱を支持している状態を示す斜視図である。
図１８は、本発明の支柱支持部材の第３の実施の形態において、ウエイト部材とロック部材により支柱を支持している状態を示す上面図である。
図１９は、本発明の支柱支持部材の第４の実施の形態において、ウエイト部材を示す側面図である。
図２０は、本発明の支柱支持部材の第５の実施の形態において、ウエイト部材を示す上面図である。
図２１は、本発明の支柱支持部材の第５の実施の形態において、支柱支持部材により支柱を支持している状態を示す上面図である。
図２２は、本発明の支柱支持部材の実施の形態において、支柱支持部材をテントの支柱に対して水平に１８０度向きを変えて設置した状態を示す上面図である。
【発明を実施するための最良の形態】  以下に、本発明の実施の形態を図面に基づいて説明する。
（１）第１の実施の形態
最初に、本発明の支柱支持部材の第１の実施の形態を説明する。
（１・１）支柱支持部材の構造
図１を参照すると、支柱支持部材１００は、天蓋などの上部構造部材（図示せず）を有するテントのような構造物の支柱１１０の外周側面の一部を案内するためのウエイト部材１０２と、支柱１１０をウエイト部材１０２に対して保持するために、ウエイト部材１０２に対して固定されるようになっている止め部材１０４とを含む。通常、テントのような構造物には複数の支柱が設けられる。例えば、平面形状が正方形又は長方形のテントにおいては、４つのコーナ部にそれぞれ支柱が設けられる。図１に示す支柱１１０は、その水平断面形状が正方形である。
（１・２）ウエイト部材の構造
図２を参照すると、ウエイト部材１０２は、垂直方向に延びる第１の側面１０２ａと、垂直方向に延びかつ第１の側面１０２ａと交わるように配置された第２の側面１０２ｂと、垂直方向に延びかつ第１の側面１０２ａおよび第２の側面１０２ｂと交わるように配置された第３の側面１０２ｊと、第１の側面１０２ａと第２の側面１０２ｂが交わる交叉線１０２ｃにそって垂直方向に延び、かつ、支柱１１０の外周側面の一部を案内するための案内凹部１０２ｄとを有している。第１の側面１０２ａと第２の側面１０２ｂは、直角をなすように配置されるのが好ましい。水平断面形状が正方形である支柱１１０を案内する場合、案内凹部１０２ｄは底部の角度が直角である２つの第１側壁１０２ｅおよび第２側壁１０２ｆにより構成される。第１の側面１０２ａと第１側壁１０２ｅは直角をなすように構成されるのが好ましい。第２の側面１０２ｂと第２側壁１０２ｆは直角をなすように構成されるのが好ましい。案内凹部１０２ｄの水平断面形状は、支柱１１０の水平断面形状に適応するように決めるのが好ましい。
第３の側面１０２ｈが、案内凹部１０２ｄの反対側に配置される。ウエイト部材１０２の水平断面形状は、底辺が第３の側面１０２ｊであり、底辺の一端から頂点に向かう１つの辺が第１の側面１０２ａであり、底辺の他端から頂点に向かう他の１つの辺が第２の側面１０２ｂであり、頂角が９０度であるような直角二等辺三角形である。
第１の側面１０２ａと平行であり、かつ、止め部材１０４の１つの内側面を受けるための第１受面１０２ｇが、第１の側面１０２ａの案内凹部１０２ｄに近い方の一部に設けられる。また、第２の側面１０２ｂと平行であり、かつ、止め部材１０４の他の１つの内側面を受けるための第２受面１０２ｈが、第２の側面１０２ｂの案内凹部１０２ｄに近い方の一部に設けられる。
すなわち、本発明の支柱支持部材１００では、ウエイト部材１０２は、少なくとも一部が垂直方向に延びる外周側面（すなわち、第１の側面１０２ａ、第２の側面１０２ｂ）と、この外周側面に連続して形成され、かつ、垂直方向に延び、かつ、支柱の外周側面の一部を案内するための案内凹部１０２ｄとを有するように構成されている。
さらに、液体及び／又は固体を収容するための収容部１０２ｍが、ウエイト部材１０２に設けられる。液体及び／又は固体を収容部１０２ｍに入れるための開口部１０２ｐが、ウエイト部材１０２の上面１０２ｎに設けられる。ウエイト部材１０２の開口部１０２ｐは、ねじ込み式、或いは、押しこみ式などの蓋（図示せず）を取り付けることができるように構成される。収容部１０２ｍに入れる物体は、例えば、水、砂、砂利、小石、鉄くずなどである。収容部１０２ｍに入れた物体は、開口部１０２ｐから出すことができる。成いは、開口部１０２ｐと別個に、排出口（図示せず）をウエイト部材１０２に設けることもできる。
ウエイト部材１０２は、例えば、プラスチックなどで形成される。或いは、ウエイト部材１０２に収容部１０２ｍを設けることなしに、ウエイト部材１０２をコンクリート、鋳鉄、鉛などの金属で形成することもできる。
さらに、止め部材１０４の一部を受け入れて止め部材１０４をウエイト部材１０２に固定するための第１受入部１０２ｓと、第２受入部１０２ｔとが、ウエイト部材１０２に設けられる。例えば、第１受入部１０２ｓと、第２受入部１０２ｔは、止め部材１０４の形状および厚さに合うように形成された溝部で構成される。止め部材１０４をウエイト部材１０２に固定するための止めピンを受け入れるための第１ピン孔１０５ｇがウエイト部材１０２に設けられる。止め部材１０４をウエイト部材１０２に固定するための止めピンを受け入れるための第２ピン孔１０５ｈがウエイト部材１０２に設けられる。止めねじを用いる場合、第１ねじ孔と、第２ねじ孔とがウエイト部材１０２に設けられる。
さらに、支柱１１０の下端にある足部１１０ｗ（図１参照）を収容するための足収容部１０２ｗが、ウエイト部材１０２の底面１０２ｕの案内凹部１０２ｄに近い方の一部に設けられる。
本発明の支柱支持部材１００においては、ウエイト部材１０２の水平断面の形状が頂角９０度の直角二等辺三角形である。したがって、ウエイト部材１０２は、積み重ねて保管するときに、デッドスペースの発生を限りなく抑えることができるので、収納スペースを極力無駄にしない形状である。さらに、本発明の支柱支持部材１００においては、ウエイト部材１０２を作るために、１つの型（金型）を用意するだけでよい。
図２には、ウエイト部材１０２の水平断面形状が、垂直方向に関して同一形状である構成を示しているけれども、ウエイト部材１０２の水平断面形状は、図２に一点鎖線で示すように、垂直方向に関して、底面１０２ｕから上面１０２ｎに向かうにつれて、漸次減少するような形状で構成することもできる。
（１・３）止め部材の構造
図２を参照すると、止め部材１０４は、垂直方向に延びる第１側板１０４ａと、垂直方向に延びかつ第１側板１０４ａと交わるように配置された第２側板１０４ｂと、第１側板１０４ａと連続して形成された第１取付部１０４ｃと、第２側板１０４ｂと連続して形成された第２取付部１０４ｄと、第１取付部１０４ｃと連続して形成された第１固定部１０４ｅと、第２取付部１０４ｄと連続して形成された第２固定部１０４ｆとを含む。例えば、止め部材１０４は、ステンレス鋼などの金属の板を曲げ加工して形成することができる。
止め部材１０４をウエイト部材１０２に固定するための止めピン又は止めねじを通すための第１貫通孔１０４ｇが第１固定部１０４ｅに設けられる。止め部材１０４をウエイト部材１０２に固定するための止めピン又は止めねじを通すための第２貫通孔１０４ｈが第２固定部１０４ｆに設けられる。止め部材１０４の第１貫通孔１０４ｇの位置および寸法形状は、ウエイト部材１０２の第１ピン孔１０５ｇの位置および寸法形状に適応するように決めるのが好ましい。止め部材１０４の第２貫通孔１０４ｈの位置および寸法形状は、ウエイト部材１０２の第２ピン孔１０５ｈの位置および寸法形状に適応するように決めるのが好ましい。
第１側板１０４ａの内面の一部と、第２側板１０４ｂの内面の一部は、支柱１１０の外周側面の一部を案内するための案内部を構成する。水平断面形状が正方形である支柱１１０を案内する場合、第１側板１０４ａの内面と第２側板１０４ｂの内面は、直角をなすように構成されるのが好ましい。第１側板１０４ａと第２側板１０４ｂの内側面の輪郭形状は、支柱１１０の水平断面の外周形状に適応するように決めるのが好ましい。すなわち、水平断面形状が正方形である支柱１１０を案内する場合、止め部材１０４の第１側板１０４ａと第２側板１０４ｂとは、上からみたときに、頂角が９０度であるような直角二等辺三角形になるように形成されるのがよい。
（１・４）支柱支持部材の使用方法
図４を参照すると、水平断面形状が長方形であるテント１１４は、天蓋１１２と、４本の支柱１１０を含む。図面を簡略にするために、２本の支柱１１０だけを図４に示す。最初に、ユーザはウエイト部材１０２の開口部１０２ｐから水を収容部１０２ｍに入れ、蓋（図示せず）を取り付ける。次に、ユーザはウエイト部材１０２の案内凹部１０２ｄを支柱１１０の外周側面に接触させるようにして、ウエイト部材１０２を配置する。次に、ユーザは、ウエイト部材１０２の上方からウエイト部材１０２にそって止め部材１０４を移動させる。すなわち、ユーザは、止め部材１０４の１つの内側面がウエイト部材１０２の第１受面１０２ｇに接触し、止め部材１０４の他の１つの内側面がウエイト部材１０２の第２受面１０２ｈに接触するように止め部材１０４を移動させる。そして、止め部材１０４の第１取付部１０４ｃをウエイト部材１０２の第１受入部１０２ｓに挿入し止め部材１０４の第２取付部１０４ｄをウエイト部材１０２の第２受入部１０２ｔに挿入する。この状態は、（図示せず）に示す状態である。次に、ユーザは、止めピン又は止めねじ（図示せず）を止め部材１０４の第１貫通孔１０４ｇを通してウエイト部材１０２の第１ピン孔１０５ｇに固定する。同様にして、ユーザは４本の支柱１１０について、上記の手順で、ウエイト部材１０２および止め部材１０４を含む支柱支持部材１００をセットする。本発明の支柱支持部材１００は、支柱１１０の下方の一部の周囲を完全に囲むような形状を有しているので、支柱１１０を非常に頑丈に固定することができる。
支柱支持部材１００を支柱１１０から外すときは、ユーザは、止めピン又は止めねじを外し、止め部材１０４をウエイト部材１０２に対して上方に摺動させて、止め部材１０４を外せばよい。したがって、本発明においては、支柱支持部材１００を支柱１１０から取り外すときに、特別な工具を必要としないので、支柱支持部材１００を簡単に脱着することができる。
もし、必要ならば、ユーザは、２つの支柱支持部材１００の間に半横幕１１６を取り付ける。半横幕１１６は、横幕棒１１６ａと、横幕体１１６ｂで構成される。ユーザは、横幕棒１１６ａの一端を１つの支柱支持部材１００に取り付け、横幕棒１１６ａの他端を他の隣接する支柱支持部材１００に取り付ける。支柱支持部材１００に半横幕１１６を取り付けることにより、テント１１４の内部を外部から遮断することができる。すなわち、半横幕１１６は、ついたてのような役割を果たすことができる。また、支柱支持部材１００に半横幕１１６を取り付けることにより、テント１１４の内部を隠すことができる。さらに、半横幕１１６に広告を印刷したり、半横幕１１６にポスターを貼ることもできる。すなわち、半横幕１１６を広告媒体として利用することができる。さらに、支柱支持部材１００に半横幕１１６を取り付けることにより、テント１１４の内部に風、雨、日差し、ほこりなどが入るのを効果的に遮ることができる。
本発明の支柱支持部材１００は、支柱支持部材１００がテント１１４の外部に出っ張る量が従来品に比べて非常に少ないので、テント１１４の本来にシルエットを崩さずに、支柱支持部材１００に半横幕１１６を取り付けることができる。
すなわち、本発明の支柱支持部材１００を用いると、テント１１４の外部に出っ張る量は、止め部材１０４の厚さだけであるので、余分な「出っ張り」や「しわ」の発生を抑えることができ、見た目を美しく保つことができる。したがって、本発明の支柱支持部材１００を用いると、半横幕１１６を支柱支持部材１００に取り付けたとき、半横幕１１６のシルエットを限りなく水平に保つことができる。また、本発明の支柱支持部材１００を用いると、テント１１４の内部に向かって突き出るものがなく、ユーザが支柱支持部材１００につまずくおそれをなくすことができる。さらに、本発明の支柱支持部材１００を用いると、テント１１４の内部の有効活用面積を最大にすることができる。さらに、本発明の支柱支持部材１００においては、支柱支持部材の運搬労力と、保管スペースを最小限にすることができる。
また、本発明の支柱支持部材１００は、１本の支柱１１０に対して垂直方向に積み重ねて複数個数用いることができる。したがって、テント１１４を使用する場所の状況に合わせて、支柱支持部材１００を使用する数を増減することが可能になり、作業者およびユーザの安全性を確保することができ、かつ、テント設置の作業労力の効率化を図ることができる。
さらに、図５を参照すると、水平断面形状が長方形であるテント１１４は、天蓋１１２と、４本の支柱１１０を含む。図面を簡略にするために、２本の支柱１１０だけを図５に示す。それぞれの支柱１１０は、ウエイト部材１０２と止め部材１０４を含む支柱支持部材１００により支持される。２つのウエイト部材１０２を相互に連結するための連結アーム１１８を取り付けるためのアーム取付部１０２が、それぞれのウエイト部材１０２に設けられる。例えば、アーム取付部１０２は、連結アーム１１８の端部を受け入れるための丸孔１０２ｘで構成される。
連結アーム１１８は鉄などの金属又はプラスチックで作られるのが好ましい。連結アーム１１８は丸棒の形状に作られるのが好ましい。連結アーム１１８の両方の端部は、直角に曲げられる。連結アーム１１８の一方の端部は第１のウエイト部材１０２（図５において左側に配置されているウエイト部材１０２）の端部受入用丸孔に嵌め込まれ、連結アーム１１８の他方の端部は第２のウエイト部材１０２（図５において右側に配置されているウエイト部材１０２）の端部受入用丸孔に嵌め込まれる。連結アーム１１８は、複数の支柱１１０を支持するための補強材を構成する。連結アーム１１８を用いることにより、テント１１４の横揺れを防止することが可能になる。
（１・５）支柱支持部材の他の支持構造
（１・５・１）正方形断面の支柱の支持構造
図６を参照すると、例えば、四角形のテントにおいて、水平断面形状が正方形の支柱１１０ａを支持するなどの場合において、ウエイト部材１２２は、垂直方向に延びる第１の側面１２２ａと、垂直方向に延びかつ第１の側面１２２ａと交わるように配置された第２の側面１２２ｂと、第１の側面１２２ａと第２の側面１２２ｂが交わる交叉線１２２ｃにそって垂直方向に延び、かつ、支柱１１０ａの外周側面の一部を案内するための案内凹部１２２ｄとを有している。第１の側面１２２ａと第２の側面１２２ｂは、直角をなすように配置される。支柱１１０ａの１つの側面は第１の側面１２２ａと同一平面に位置するように配置される。支柱１１０ａの他の１つの側面は第２の側面１２２ｂと同一平面に位置するように配置される。
図６には、ウエイト部材１２２の水平断面形状を直角二等辺三角形で示しているけれども、ウエイト部材１２２の水平断面形状は、図６に二点鎖線で示すように、二等辺でない直角三角形で構成することもできる。
また、図６には、第１の側面１２２ａを平面で示しているけれども、第１の側面１２２ａは、図６に一点鎖線で示すように、湾曲面で構成することもできる。図６には、第２の側面１２２ｂを平面で示しているけれども、第２の側面１２２ｂは、図６に一点鎖線で示すように、湾曲面で構成することもできる。
止め部材１２４がウエイト部材１２２に固定される。止め部材１２４は、垂直方向に延びる第１側板１２４ａと、垂直方向に延びかつ第１側板１２４ａと交わるように配置された第２側板１２４ｂとを含む。止め部材１２４の第１側板１２４ａの内面は第１の側面１２２ａと同一平面に位置するように配置される。止め部材１２４の第２側板１２４ｂの内面は第２の側面１２２ｂと同一平面に位置するように配置される。この構成により、テントの外部に出っ張る量は、止め部材１２４の厚さだけであるので、余分な「出っ張り」や「しわ」の発生を抑えることができ、見た目を美しく保つことができる。
（１・５・２）大きい正方形断面の支柱の支持構造
図７を参照すると、例えば、四角形のテントにおいて、水平断面形状が正方形であり、図６に示す支柱１１０ａよりも大きい水平断面形状を有する支柱１１０ｂを支持するなどの場合において、図６に示すウエイト部材１２２を用いることができる。支柱１１０ｂの１つの側面は第１の側面１２２ａより外方に位置するように配置される。支柱１１０ｂの他の１つの側面は第２の側面１２２ｂより外方に位置するように配置される。
止め部材１３４がウエイト部材１２２に固定される。止め部材１３４は、垂直方向に延びる第１側板１３４ａと、垂直方向に延びかつ第１側板１３４ａと交わるように配置された第２側板１３４ｂとを含む。止め部材１３４の第１側板１３４ａの内面は第１の側面１２２ａより外方に位置するように配置される。止め部材１３４の第２側板１３４ｂの内面は第２の側面１２２ｂより外方に位置するように配置される。この構成により、同じウエイト部材１２２を用い、止め部材だけを変えることによって、案内凹部１２２ｄの水平断面形状より大きい水平断面形状を有する支柱１１０ｂを支持することができる。
（１・５・３）小さい正方形断面の支柱の支持構造
図８を参照すると、例えば、四角形のテントにおいて、水平断面形状が正方形であり、図６に示す支柱１１０ａよりも小さい水平断面形状を有する支柱１１０ｂを支持するなどの場合において、図６に示すウエイト部材１２２を用いることができる。支柱１１０ｂの１つの側面は第１の側面１２２ａより内方に位置するように配置される。支柱１１０ｂの他の１つの側面は第２の側面１２２ｂより内方に位置するように配置される。
止め部材１４４がウエイト部材１２２に固定される。止め部材１４４は、垂直方向に延びる第１側板１４４ａと、垂直方向に延びかつ第１側板１４４ａと直角をなすように配置された第２側板１４４ｂと、第１側板１４４ａおよび第２側板１４４ｂに連続して形成され、かつ、支柱を支持するための支柱支持部１４４ｃとを含む。止め部材１４４の第１側板１４４ａの内面は第１の側面１２２ａと同一平面に位置するように配置される。止め部材１４４の第２側板１４４ｂの内面は第２の側面１２２ｂと同一平面に位置するように配置される。
この構成により、テントの外部に出っ張る量は、止め部材１４４の厚さだけであるので、余分な「出っ張り」や「しわ」の発生を抑えることができ、見た目を美しく保つことができる。また、この構成により、同じウエイト部材１２２を用い、止め部材だけを変えることによって、案内凹部１２２ｄの水平断面形状より小さい水平断面形状を有する支柱１１０ｃを支持することができる。
（１・５・４）円形断面の支柱の支持構造
図９を参照すると、例えば、四角形のテントにおいて、水平断面形状が円形の支柱１１０ｄを支持するなどの場合において、ウエイト部材１５２は、垂直方向に延びる第１の側面１５２ａと、垂直方向に延びかつ第１の側面１５２ａと交わるように配置された第２の側面１５２ｂと、第１の側面１５２ａと第２の側面１５２ｂが交わる交叉線１５２ｃにそって垂直方向に延び、かつ、支柱１１０ｄの外周側面の一部を案内するための案内凹部１５２ｄとを有している。第１の側面１５２ａと第２の側面１５２ｂは、直角をなすように配置される。案内凹部１５２ｄの水平断面形状は、支柱１１０ｄの水平断面形状に適合するように形成するのがよい。例えば、案内凹部１５２ｄの水平断面形状は、支柱１１０ｄの水平断面の半径と等しい半径の円の一部の形状を含むように形成するのがよい。或いは、案内凹部１５２ｄの水平断面形状は、支柱１１０ｄの水平断面を構成する円に外接する正方形又は多角形の２つの辺の一部の形状を含むように形成することもできる。
止め部材１５４がウエイト部材１５２に固定される。止め部材１５４は、垂直方向に延びる第１側板１５４ａと、垂直方向に延びかつ第１側板１５４ａと交わるように配置された第２側板１５４ｂとを含む。止め部材１５４の第１側板１５４ａの内面と、第２側板１５４ｂの内面の交叉する部分は、支柱１１０ｄの水平断面を構成する円と同じ形状になるような円弧形状に形成するのがよい。この構成により、テントの外部に出っ張る量は、止め部材１５４の厚さだけであるので、余分な「出っ張り」や「しわ」の発生を抑えることができ、見た目を美しく保つことができる。この構成により、止め部材１５４の円弧形状部が支柱１１０ｄの外周部に密着するので、支柱１１０ｄを確実に保持することができる。
（１・５・５）四角形断面の支柱支持部材
図１０を参照すると、例えば、四角形のテントにおいて、水平断面形状が正方形の支柱１１０ｅを支持するなどの場合において、ウエイト部材１６２は、垂直方向に延びる４つの側面１６２ａ〜１６２ｄと、第１の側面１６２ａと第２の側面１６２ｂが交わる交叉線１６２ｆにそって垂直方向に延び、かつ、支柱１１０ｅの外周側面の一部を案内するための案内凹部１６２ｇとを有している。ウエイト部材１６２の第１の側面１６２ａと第２の側面１６２ｂは、直角をなすように配置される。ウエイト部材１６２の第２の側面１６２ｂと第３の側面１６２ｃは、直角をなすように配置される。ウエイト部材１６２の第３の側面１６２ｃと第４の側面１６２ｄは、直角をなすように配置される。すなわち、ウエイト部材１６２の水平断面形状は正方形であるのがよい。或いは、図１０に一点鎖線で示すように、ウエイト部材１６２の水平断面形状を長方形に形成してもよい。支柱１１０ｅの１つの側面は第１の側面１６２ａと同一平面に位置するように配置される。支柱１１０ｅの他の１つの側面は第２の側面１６２ｂと同一平面に位置するように配置される。
図１０には、ウエイト部材１６２の水平断面形状を正方形で示しているけれども、ウエイト部材１６２の水平断面形状は、五角形で構成することもできるし（図１０に二点鎖線で示す）、他の形状の多角形や、一部に湾曲面を含む多角の筒状体であってもよい。いずれの構成においても、ウエイト部材１６２の水平断面形状は、テントの平面形状の領域内に入るような形状であるのが、特に好ましい。図１０には、第１の側面１６２ａを平面で示しているけれども、第１の側面１６２ａは、湾曲面で構成することもできる（図１０に点線で示す）。図１０には、第２の側面１６２ｂを平面で示しているけれども、第２の側面１６２ｂは、湾曲面で構成することもできる（図１０に点線で示す）。
止め部材１６４がウエイト部材１２２に固定される。止め部材１６４は、垂直方向に延びる第１側板１６４ａと、垂直方向に延びかつ第１側板１６４ａと交わるように配置された第２側板１６４ｂとを含む。止め部材１６４の第１側板１６４ａの内面は第１の側面１６２ａと同一平面に位置するように配置される。止め部材１６４の第２側板１６４ｂの内面は第２の側面１６２ｂと同一平面に位置するように配置される。この構成により、テントの外部に出っ張る量は、止め部材１６４の厚さだけであるので、余分な「出っ張り」や「しわ」の発生を抑えることができ、見た目を美しく保つことができる。この構成により、ウエイト部材１６２の収容部（図示せず）に多くの水などを入れることができるので、支柱１１０ｅを確実に保持することができる。
（１・５・６）鈍角三角形断面の支柱支持部材
図１１を参照すると、例えば、六角形のテントにおいて、水平断面形状が円形の支柱１１０ａを支持するなどの場合において、ウエイト部材１７２は、垂直方向に延びる第１の側面１７２ａと、垂直方向に延びかつ第１の側面１７２ａと交わるように配置された第２の側面１７２ｂと、第１の側面１７２ａと第２の側面１７２ｂが交わる交叉線１７２ｃにそって垂直方向に延び、かつ、支柱１１０ｆの外周側面の一部を案内するための案内凹部１７２ｄとを有している。第１の側面１７２ａと第２の側面１７２ｂは、１２０度の角度をなすように配置される。すなわち、ウエイト部材１７２の水平断面形状は鈍角三角形である。ウエイト部材１７２の水平断面形状は鈍角二等辺三角形であるのが好ましい。例えば、六角形のテントにおいて、水平断面形状が円形の支柱１１０ａを支持する場合においては、ウエイト部材１７２の水平断面形状は、頂角が１２０度の鈍角三角形であるのが好ましい。或いは、六角形のテントにおいて、水平断面形状が円形の支柱１１０ａを支持する場合においては、ウエイト部材１７２の水平断面形状は、頂角が１２０度以下の鈍角三角形、例えば、頂角が９１度〜１１９度の鈍角三角形で構成してもよい。いずれの構成においても、ウエイト部材１７２の水平断面形状は、テントの平面形状の領域内に入るような形状であるのが、特に好ましい。
或いは、図１１に一点鎖線で示すように、ウエイト部材１６２の水平断面形状を扇形に形成してもよい。この構成では、扇形の円弧の中心は、交叉線１７２ｃ上にあってもよいし、交叉線１７２ｃより遠い位置にあってもよいし、交叉線１７２ｃの内側の位置にあってもよい。
或いは、図１１に二点鎖線で示すように、ウエイト部材１６２の水平断面形状を三日月形に近いような形状（互いに鈍角をなす２つの辺の部分と、２つの辺の交点に向かって凸になっている弧状の部分からなる形状）に形成してもよい。支柱１１０ｆの１つの側面は第１の側面１７２ａと同一平面に位置するように配置される。支柱１１０ａの他の１つの側面は第２の側面１７２ｂと同一平面に位置するように配置される。
止め部材１７４がウエイト部材１７２に固定される。止め部材１７４は、垂直方向に延びる第１側板１７４ａと、垂直方向に延びかつ第１側板１７４ａと交わるように配置された第２側板１７４ｂとを含む。止め部材１７４の第１側板１７４ａの内面と、第２側板１７４ｂの内面の交叉する部分は、支柱１１０ｆの水平断面を構成する円と同じ形状になるような円弧形状に形成するのがよい。この構成により、テントの外部に出っ張る量は、止め部材１７４の厚さだけであるので、余分な「出っ張り」や「しわ」の発生を抑えることができ、見た目を美しく保つことができる。この構成により、止め部材１７４の円弧形状部が支柱１１０ｆの外周部に密着するので、支柱１１０ｆを確実に保持することができる。この構成により、テントの内部空間の活用効率を最大限高めることができる。
（１・５・７）鋭角三角形断面の支柱支持部材
図１２を参照すると、例えば、三角形のテントにおいて、水平断面形状が円形の支柱１１０ｇを支持するなどの場合において、ウエイト部材１８２は、垂直方向に延びる第１の側面１８２ａと、垂直方向に延びかつ第１の側面１８２ａと交わるように配置された第２の側面１８２ｂと、第１の側面１８２ａと第２の側面１８２ｂが交わる交叉線１８２ｃにそって垂直方向に延び、かつ、支柱１１０ｇの外周側面の一部を案内するための案内凹部１８２ｄとを有している。第１の側面１８２ａと第２の側面１８２ｂは、６０度の角度をなすように配置される。すなわち、ウエイト部材１８２の水平断面形状は鋭角三角形である。ウエイト部材１８２の水平断面形状は鋭角二等辺三角形であるのが好ましい。或いは、図１１に一点鎖線で示すように、ウエイト部材１６２の水平断面形状を扇形に形成してもよい。
止め部材１８４がウエイト部材１８２に固定される。止め部材１８４は、垂直方向に延びる第１側板１８４ａと、垂直方向に延びかつ第１側板１８４ａと交わるように配置された第２側板１８４ｂとを含む。止め部材１８４の第１側板１８４ａの内面と、第２側板１８４ｂの内面の交叉する部分は、支柱１１０ｇの水平断面を構成する円と同じ形状になるような円弧形状に形成するのがよい。この構成により、テントの外部に出っ張る量は、止め部材１８４の厚さだけであるので、余分な「出っ張り」や「しわ」の発生を抑えることができ、見た目を美しく保つことができる。この構成により、止め部材１８４の円弧形状部が支柱１１０ｇの外周部に密着するので、支柱１１０ｇを確実に保持することができる。この構成により、テントの内部空間の活用効率を最大限高めることができる。
（１・５・８）長方形断面の支柱支持部材で正方形断面の支柱を支持する構造
図１３を参照すると、例えば、四角形のテントにおいて、水平断面形状が正方形の支柱１１０ｈを支持するなどの場合において、ウエイト部材１９２は、垂直方向に延びる第１の側面１９２ａと、垂直方向に延びかつ第１の側面１９２ａと平行に配置された第２の側面１９２ｂと、第１の側面１９２ａおよび第２の側面１９２ｂに交わる第３の側面１９２ｃと、第３の側面１９２ｃの反対側に配置されかつ垂直方向に延び、かつ、支柱１１０ｈの外周側面の一部を案内するための案内凹部１９２ｄとを有している。案内凹部１９２ｄは、第１の側面１９２ａと第２の側面１９２ｂとを連結する部分に形成される。支柱１１０ｈの２つの側面は案内凹部１９２ｄに支持される。或いは、図１３に一点鎖線で示すように、第１の側面１９２ａと第２の側面１９２ｂとは、９０度以下の角度をなして、案内凹部１９２ｄに向かって開くように配置されていてもよい。いずれの構成においても、ウエイト部材１９２の水平断面形状は、テントの平面形状の領域内に入るような形状であるのが、特に好ましい。
止め部材１９４がウエイト部材１９２に固定される。止め部材１９４は、垂直方向に延びる第１側板１９４ａと、垂直方向に延びかつ第１側板１９４ａと交わるように配置された第２側板１９４ｂとを含む。止め部材１２４の第１側板１９４ａの内面と、第２側板１９４ｂの内面は、支柱１１０ｈの２つの側面を支持するように配置される。この構成により、テントの外部に出っ張る量は、止め部材１９４の厚さだけであるので、余分な「出っ張り」や「しわ」の発生を抑えることができ、見た目を美しく保つことができる。
（１・６）複数のテントの支持構造
図１４を参照すると、水平断面形状が長方形である２つのテント２１０、２２０が並んで配置される。第１テント２１０は、第１天蓋２１２と、４本の支柱２１４とを含む。第２テント２２０は、第１天蓋２２２と、４本の支柱２２４とを含む。それぞれの支柱２１４、２２４は、支柱支持部材２３０により支持される。支柱支持部材２３０の構造は、前述した支柱支持部材１００の構造と同様である。
１対の連結部材２３８が、隣接した配置された２つの支柱支持部材２３０を相互に連結して支持する。連結部材２３８の端部を受け入れるための取付部が、それぞれの支柱支持部材２３０のウエイト部材に設けられる。例えば、取付部は、連結部材２３８の端部を受け入れるための丸孔で構成される。図１４には、１対の連結部材２３８を示すけれども、連結部材２３８の個数は、１つであってもよいし、２つ以上であってもよい。この構成により、複数のテントを確実に支持することができる。この構成により、複数のテントの横揺れを防止することができる。
（２）第２の実施の形態
次に、本発明の支柱支持部材の第２の実施の形態を説明する。
以下の説明は、本発明の支柱支持部材の第２の実施形態が本発明の支柱支持部材の第１の実施形態と異なる点を主に述べる。したがって、以下に記載がない個所は、前述した本発明の支柱支持部材の第１の実施形態についての説明をここに準用する。
図１５および図１６を参照すると、支柱支持部材２５０は、テントのような構造物の支柱（図示せず）の外周側面の一部を案内するためのウエイト部材２５２と、支柱をウエイト部材２５２に対して保持するために、ウエイト部材２５２に対して固定されるようになっているロック止め部材２５４とを含む。３つのロック止め部材２５４を図１５に示すけれども、ロック止め部材２５４の個数は、１つであってもよいし、２つつであってもよいし、３つ以上であってもよい。
ロック止め部材２５４は、一端がウエイト部材２５２の一方の側面に固定された第１ロック部材２５６と、一端がウエイト部材２５２の他方の側面に固定された第２ロック部材２５８とを含む。第１ロック部材２５６を第２ロック部材２５８に対してロックすることによって、支柱をウエイト部材２５２に対してしっかりと保持することができる。例えば、第１ロック部材２５６は、基部がウエイト部材２５２に固定され、かつ、先端部がＵ字形或いはコの字形に形成されたワイヤロープで構成することができる。例えば、第２ロック部材２５８は、ウエイト部材２５２に固定されたベース部と、ベース部に対して回転可能なように取り付けられたバックル部とで構成することができる。この構成では、バックル部は、複数の山部と、複数の谷部とを含むのがよい。バックル部をベース部から離して立てたた状態で（図１６に二点鎖線で示す状態で）、第１ロック部材２５６のＵ字形のワイヤロープをバックル部の谷部に引掛け、バックル部を回転させてベース部に接触させることにより（図１６に実線で示す状態で）、第１ロック部材２５６を第２ロック部材２５８に対してロックすることができる（図１５も参照）。本発明のこの構成においては、支柱支持部材２５０を支柱に取り付けるとき、および、支柱支持部材２５０を支柱から取り外すときに、特別な工具を必要としないので、支柱支持部材２５０を簡単に取り扱うことができる。バックル部に複数の山部と複数の谷部を設けることにより、第１ロック部材２５６のＵ字形のワイヤロープの有効長さを複数の寸法に調整することができるので、異なる外径寸法の支柱に対応することができる。
（３）第３の実施の形態
次に、本発明の支柱支持部材の第３の実施の形態を説明する。
以下の説明は、本発明の支柱支持部材の第３の実施形態が本発明の支柱支持部材の第１の実施形態と異なる点を主に述べる。したがって、以下に記載がない個所は、前述した本発明の支柱支持部材の第１の実施形態についての説明をここに準用する。
図１７および図１８を参照すると、支柱支持部材３００は、テントのような構造物の支柱３１０の外周側面の一部を案内するためのウエイト部材３０２と、支柱３１０をウエイト部材３０２に対して保持するために、ウエイト部材３０２に対して固定されるようになっているロック止め部材３０４とを含む。ロック止め部材２５４の構造は、前述したロック止め部材２５４の構造と同様である。
ウエイト部材３０２は、本体３０２ｂと、本体３０２ｂに対して着脱可能なように入れ子式に設けられた収容部３０６を含む。収容部３０６は、上方に開口部３０６ｃを有する中空容器で構成される。蓋３０８が開口部３０６ｃに取り付けられる。或いは、開口部３０６ｃと別個に、排出口（図示せず）を本体３０２ｂに設けることもできる。収容部３０６を本体３０２ｂから外すことにより、容易に収容部３０６の中に水などを入れることができる。また、収容部３０６を本体３０２ｂから外すことにより、容易に収容部３０６を運搬することができる。
（４）第４の実施の形態
次に、本発明の支柱支持部材の第４の実施の形態を説明する。
以下の説明は、本発明の支柱支持部材の第４の実施形態が本発明の支柱支持部材の第１の実施形態と異なる点を主に述べる。したがって、以下に記載がない個所は、前述した本発明の支柱支持部材の第１の実施形態についての説明をここに準用する。
図１９を参照すると、支柱支持部材４００は、テントのような構造物の支柱（図示せず）の外周側面の一部を案内するためのウエイト部材４０２と、支柱をウエイト部材４０２に対して保持するために、ウエイト部材４０２に対して固定されるようになっている止め部材４０４とを含む。さらに、ウエイト部材４０２を移動させるための車輪４１０が、ウエイト部材４０２の下面４０２ｂの付近に設けられる。車輪４１０は、ウエイト部材４０２を垂直に支持したときには地面に接触することなく、ウエイト部材４０２を傾けたときには地面に接触するように構成される。例えば、車輪４１０は、ウエイト部材４０２を垂直に支持したときには地面に接触することなく、ウエイト部材４０２を垂直位置から１０度以上傾けたときには地面に接触するように構成されるのが好ましい。
さらに、ウエイト部材４０２を移動させるための取手４１２が、ウエイト部材４０２の上面４０２ｄの付近に設けられる。この構成により、ウエイト部材４０２の収容部４１６に水をいれたときでも、容易にウエイト部材４０２を運搬することができる。
さらに、横幕のひもを固定するために、１つ以上の取付穴４３０がウエイト部材４０２に設けられる。４つの取付穴４３０を図１９に示すけれども、取付穴４３０の個数は、１つであってもよいし、２つ以上であってもよい。この構成により、横幕のひもをウエイト部材４０２に確実に固定することができる。
（５）第５の実施の形態
次に、本発明の支柱支持部材の第５の実施の形態を説明する。
以下の説明は、本発明の支柱支持部材の第５の実施形態が本発明の支柱支持部材の第１の実施形態と異なる点を主に述べる。したがって、以下に記載がない個所は、前述した本発明の支柱支持部材の第１の実施形態についての説明をここに準用する。
図２０および図２１を参照すると、ウエイト部材４５０は、第１の支柱の外周側面の一部を案内するために垂直方向に延びる第１支柱案内部４５０ａと、第２の支柱及び第３の支柱を近接させた状態で保持するために、前記第２の支柱及び前記第３の支柱のそれぞれの外周側面の一部を保持するために垂直方向に延びる第２支柱保持部４５０ｂが設けられる。第１の支柱を第１支柱案内部４５０ａに対して支持するための第１止め部材４５４と、前記第２の支柱及び前記第３の支柱を同時に第２支柱保持部４５０ｂに対して支持するための第２止め部材４５６とが設けられる。第１止め部材４５４の一部を受け入れて第１止め部材４５４をウエイト部材４５０に固定するための第１受入部４５２ｓと、第２止め部材４５６の一部を受け入れて第２止め部材４５６をウエイト部材４５０に固定するための第２受入部１０２ｔとが、ウエイト部材４５０に設けられる。この構成により、１種類のウエイト部材４５０を用意するだけで、１本の支柱を支持することができ、また、２本の支柱を同時に支持することもできる。
また、本発明の支柱支持部材は、いずれの実施形態に示す構造を用いる場合においても、図４に示すような設置方向ではなく、図２２に支柱支持部材１００ｘとして示すように、支柱１１０に対して水平に１８０度向きを変えて設置することができる。このように支柱支持部材１００ｘを設置することによって、テント１１４の内部の有効な使用可能面積を１００％に近づけることが可能になる。したがって、本発明の支柱支持部材を用いることにより、テントの内部空間の活用効率を最大限高めることができる。
【産業上の利用可能性】  本発明の支柱支持部材は、テントの支柱を確実に保持することができ、かつ、積み重ねて保管することができる。
また、本発明の支柱支持部材は、テントの支柱を保持した後、横幕を取り付けることができ横幕のシルエットを限りなく水平に保つことができる。
また、本発明の支柱支持部材は、保管・収納スペースを極力無駄にしない形状であり、運搬も楽である。
本発明について幾つかの好ましい実施形態を参照して説明したけれども、それらの実施形態は本発明を限定するものとして解釈すべきではない。当業者であれば、上記の実施形態の代替例や修正例をたやすく考え出すことができるであろうけれども、それらは、特許請求の範囲の各項により定められる本発明の範囲に入るものである。
【図１】
2005005755.tif 000003
【図２】
2005005755.tif 000004
【図３】
2005005755.tif 000005
【図４】
2005005755.tif 000006
【図５】
2005005755.tif 000007
【図６】
2005005755.tif 000008
【図７】
2005005755.tif 000009
【図８】
2005005755.tif 000010
【図９】
2005005755.tif 000011
【図１０】
2005005755.tif 000012
【図１１】
2005005755.tif 000013
【図１２】
2005005755.tif 000014
【図１３】
2005005755.tif 000015
【図１４】
2005005755.tif 000016
【図１５】
2005005755.tif 000017
【図１６】
2005005755.tif 000018
【図１７】
2005005755.tif 000019
【図１８】
2005005755.tif 000020
【図１９】
2005005755.tif 000021
【図２０】
2005005755.tif 000022
【図２１】
2005005755.tif 000023
【図２２】
2005005755.tif 000024
【手続補正書】
【提出日】平成16年11月8日(2004.11.8)
【手続補正００１】
【補正対象書類名】特許請求の範囲
【補正対象項目名】請求項１
【補正方法】変更
【補正の内容】
【請求項１】構造物の支柱を支持するための支柱支持部材であって、
前記支柱の外周側面の一部を案内するためのウエイト部材を備え、該ウエイト部材は、垂直方向に延びる第１の側面と、垂直方向に延びかつ前記第１の側面と交わるように配置された第２の側面と、前記第１の側面と前記第２の側面が交わる交叉線にそって垂直方向に延び、かつ、前記支柱の外周側面の一部を案内するための案内凹部とを有しており、
さらに、前記支柱を前記ウエイト部材に対して保持するために、前記ウエイト部材に対して固定されるようになっている止め部材を含んでおり、
前記止め部材は、金属板を曲げ加工することによって形成され、前記止め部材の内側面の輪郭形状は、前記支柱の水平断面の外周形状に適合するように決められており、
前記ウエイト部材の前記案内凹部と、前記止め部材の前記曲げ加工した部分の内側面とによって、前記支柱を前記ウエイト部材に対して保持することができるように構成される、
ことを特徴とする支柱支持部材。


【手続補正００２】
【補正対象書類名】特許請求の範囲
【補正対象項目名】請求項３
【補正方法】変更
【補正の内容】
【請求項３】構造物の支柱を支持するための支柱支持部材であって、
前記支柱の外周側面の一部を案内するためのウエイト部材を備え、該ウエイト部材は、垂直方向に延びる第１の側面と、垂直方向に延びかつ前記第１の側面と平行に、或いは、９０度以下の角度をなして配置された第２の側面と、前記第１の側面および前記第２の側面とを連結する部分に形成され、かつ、垂直方向に延び、かつ、前記支柱の外周側面の一部を案内するための案内凹部とを有しており、
さらに、前記支柱を前記ウエイト部材に対して保持するために、前記ウエイト部材に対して固定されるようになっている止め部材を含んでおり、
前記止め部材は、金属板を曲げ加工することによって形成され、前記止め部材の内側面の輪郭形状は、前記支柱の水平断面の外周形状に適合するように決められており、
前記ウエイト部材の前記案内凹部と、前記止め部材の前記曲げ加工した部分の内側面とによって、前記支柱を前記ウエイト部材に対して保持することができるように構成される、
ことを特徴とする支柱支持部材。


【手続補正００３】
【補正対象書類名】特許請求の範囲
【補正対象項目名】請求項４
【補正方法】変更
【補正の内容】
【請求項４】構造物の支柱を支持するための支柱支持部材であって、
前記支柱の外周側面の一部を案内するためのウエイト部材を備え、
該ウエイト部材は、
少なくとも一部が垂直方向に延びる外周側面と、
前記外周側面に連続して形成され、かつ、垂直方向に延び、かつ、前記支柱の外周側面の一部を案内するための案内凹部とを有しており、
さらに、前記支柱を前記ウエイト部材に対して保持するために、前記ウエイト部材に対して固定されるようになっている止め部材を含んでおり、
前記止め部材は、金属板を曲げ加工することによって形成され、前記止め部材の内側面の輪郭形状は、前記支柱の水平断面の外周形状に適合するように決められており、
前記ウエイト部材の前記案内凹部と、前記止め部材の前記曲げ加工した部分の内側面とによって、前記支柱を前記ウエイト部材に対して保持することができるように構成される、
ことを特徴とする支柱支持部材。


【手続補正００４】
【補正対象書類名】特許請求の範囲
【補正対象項目名】請求項９
【補正方法】変更
【補正の内容】
【請求項９】構造物の支柱を支持するための支柱支持部材であって、
前記支柱の外周側面の一部を案内するためのウエイト部材を備え、該ウエイト部材は、垂直方向に延びる第１の側面と、垂直方向に延びかつ前記第１の側面と交わるように配置された第２の側面と、前記第１の側面と前記第２の側面が交わる交叉線にそって垂直方向に延び、かつ、前記支柱の外周側面の一部を案内するための案内凹部とを有しており、
さらに、前記支柱を前記ウエイト部材に対して保持するために、前記ウエイト部材に対して固定されるようになっている止め部材を含んでおり、
前記止め部材は、一端が前記ウエイト部材に固定された第１ロック部材と、一端が前記ウエイト部材に固定された第２ロック部材とを含み、
前記第１ロック部材は、基部が前記ウエイト部材に固定され、かつ、先端部がＵ字形或いはコの字形に形成されたワイヤロープで構成され、前記第２ロック部材は、前記ウエイト部材に固定されたベース部と、前記ベース部に対して回転可能なように取り付けられたバックル部とで構成されており、
前記第１ロック部材を前記第２ロック部材に対してロックすることにより前記支柱を前記ウエイト部材に対して保持することができるように構成される、
ことを特徴とする支柱支持部材。




【手続補正書】
【提出日】平成17年5月19日(2005.5.19)
【手続補正１】
【補正対象書類名】特許請求の範囲
【補正対象項目名】全文
【補正方法】変更
【補正の内容】
【特許請求の範囲】
【請求項１】
構造物の支柱を支持するための支柱支持部材であって、
前記支柱の外周側面の一部を案内するためのウエイト部材を備え、該ウエイト部材は、垂直方向に延びる第１の側面と、垂直方向に延びかつ前記第１の側面と交わるように配置された第２の側面と、前記第１の側面と前記第２の側面が交わる交叉線にそって垂直方向に延び、かつ、前記支柱の外周側面の一部を案内するための案内凹部とを有しており、
さらに、前記支柱を前記ウエイト部材に対して保持するために、前記ウエイト部材に対して固定されるようになっている止め部材を含んでおり、
前記止め部材は、金属板を曲げ加工することによって形成され、前記止め部材の内側面の輪郭形状は、前記支柱の水平断面の外周形状に適合するように決められており、
前記ウエイト部材の前記案内凹部と、前記止め部材の前記曲げ加工した部分の内側面とによって、前記支柱を前記ウエイト部材に対して保持することができるように構成される、
ことを特徴とする支柱支持部材。
【請求項２】
前記ウエイト部材の前記第１の側面と前記第２の側面は、直角をなすように配置されることを特徴とする請求項１に記載の支柱支持部材。
【請求項３】
構造物の支柱を支持するための支柱支持部材であって、
前記支柱の外周側面の一部を案内するためのウエイト部材を備え、該ウエイト部材は、垂直方向に延びる第１の側面と、垂直方向に延びかつ前記第１の側面と平行に、或いは、９０度以下の角度をなして配置された第２の側面と、前記第１の側面および前記第２の側面とを連結する部分に形成され、かつ、垂直方向に延び、かつ、前記支柱の外周側面の一部を案内するための案内凹部とを有しており、
さらに、前記支柱を前記ウエイト部材に対して保持するために、前記ウエイト部材に対して固定されるようになっている止め部材を含んでおり、
前記止め部材は、金属板を曲げ加工することによって形成され、前記止め部材の内側面の輪郭形状は、前記支柱の水平断面の外周形状に適合するように決められており、
前記ウエイト部材の前記案内凹部と、前記止め部材の前記曲げ加工した部分の内側面とによって、前記支柱を前記ウエイト部材に対して保持することができるように構成される、
ことを特徴とする支柱支持部材。
【請求項４】
構造物の支柱を支持するための支柱支持部材であって、
前記支柱の外周側面の一部を案内するためのウエイト部材を備え、
該ウエイト部材は、
少なくとも一部が垂直方向に延びる外周側面と、
前記外周側面に連続して形成され、かつ、垂直方向に延び、かつ、前記支柱の外周側面の一部を案内するための案内凹部とを有しており、
さらに、前記支柱を前記ウエイト部材に対して保持するために、前記ウエイト部材に対して固定されるようになっている止め部材を含んでおり、
前記止め部材は、金属板を曲げ加工することによって形成され、前記止め部材の内側面の輪郭形状は、前記支柱の水平断面の外周形状に適合するように決められており、
前記ウエイト部材の前記案内凹部と、前記止め部材の前記曲げ加工した部分の内側面とによって、前記支柱を前記ウエイト部材に対して保持することができるように構成される、
ことを特徴とする支柱支持部材。
【請求項５】
液体及び／又は固体を収容するための収容部が、前記ウエイト部材に設けられることを特徴とする請求項１〜４のいずれか１項に記載の支柱支持部材。
【請求項６】
前記ウエイト部材の収容部は、前記ウエイト部材に対して着脱可能なように入れ子式に設けられることを特徴とする請求項５に記載の支柱支持部材。
【請求項７】
前記止め部材の一部を受け入れて前記止め部材を前記ウエイト部材に固定するための受入部が、前記ウエイト部材に設けられることを特徴とする請求項１〜４のいずれか１項に記載の支柱支持部材。
【請求項８】
複数のウエイト部材を連結するための連結アームを取り付けるためのアーム取付部が、前記ウエイト部材に設けられることを特徴とする請求項１〜４のいずれか１項に記載の支柱支持部材。
【請求項９】
構造物の支柱を支持するための支柱支持部材であって、
前記支柱の外周側面の一部を案内するためのウエイト部材を備え、該ウエイト部材は、垂直方向に延びる第１の側面と、垂直方向に延びかつ前記第１の側面と交わるように配置された第２の側面と、前記第１の側面と前記第２の側面が交わる交叉線にそって垂直方向に延び、かつ、前記支柱の外周側面の一部を案内するための案内凹部とを有しており、
さらに、前記支柱を前記ウエイト部材に対して保持するために、前記ウエイト部材に対して固定されるようになっている止め部材を含んでおり、
前記止め部材は、一端が前記ウエイト部材に固定された第１ロック部材と、一端が前記ウエイト部材に固定された第２ロック部材とを含み、
前記第１ロック部材は、基部が前記ウエイト部材に固定され、かつ、先端部がＵ字形或いはコの字形に形成されたワイヤロープで構成され、前記第２ロック部材は、前記ウエイト部材に固定されたベース部と、前記ベース部に対して回転可能なように取り付けられたバックル部とで構成されており、
前記第１ロック部材を前記第２ロック部材に対してロックすることにより前記支柱を前記ウエイト部材に対して保持することができるように構成される、
ことを特徴とする支柱支持部材。
【請求項１０】
前記ウエイト部材を移動させるための車輪が、前記ウエイト部材に設けられることを特徴とする請求項１〜９のいずれか１項に記載の支柱支持部材。
【請求項１１】
横幕のひもを固定するために、１つ以上の取付穴が前記ウエイト部材に設けられることを特徴とする請求項１〜９のいずれか１項に記載の支柱支持部材。
【請求項１２】
前記ウエイト部材は、第１の支柱の外周側面の一部を案内するために垂直方向に延びる第１支柱案内部と、第２の支柱及び第３の支柱を近接させた状態で保持するために、前記第２の支柱及び前記第３の支柱のそれぞれの外周側面の一部を保持するために垂直方向に延びる第２支柱保持部が設けられることを特徴とする請求項１に記載の支柱支持部材。
【請求項１３】
構造物の支柱を支持するための支柱支持部材であって、
前記支柱の外周側面の一部を案内するためのウエイト部材を備え、該ウエイト部材は、垂直方向に延びる第１の側面と、垂直方向に延びかつ前記第１の側面と交わるように配置された第２の側面と、前記第１の側面と前記第２の側面が交わる交叉線にそって垂直方向に延び、かつ、前記支柱の外周側面の一部を案内するための案内凹部とを有しており、
さらに、前記支柱を前記ウエイト部材に対して保持するために、前記ウエイト部材に対して固定されるようになっている止め部材を含んでおり、
前記止め部材は、板を曲げた形状に形成されており、
前記ウエイト部材の前記案内凹部と、前記止め部材の前記曲げた形状の内側面とによって、前記支柱を前記ウエイト部材に対して保持することができるように構成される、
ことを特徴とする支柱支持部材。
【請求項１４】
前記ウエイト部材の前記第１の側面と前記第２の側面は、直角をなすように配置されることを特徴とする請求項１３に記載の支柱支持部材。
【請求項１５】
構造物の支柱を支持するための支柱支持部材であって、
前記支柱の外周側面の一部を案内するためのウエイト部材を備え、該ウエイト部材は、垂直方向に延びる第１の側面と、垂直方向に延びかつ前記第１の側面と平行に、或いは、９０度以下の角度をなして配置された第２の側面と、前記第１の側面および前記第２の側面とを連結する部分に形成され、かつ、垂直方向に延び、かつ、前記支柱の外周側面の一部を案内するための案内凹部とを有しており、
さらに、前記支柱を前記ウエイト部材に対して保持するために、前記ウエイト部材に対して固定されるようになっている止め部材を含んでおり、
前記止め部材は、板を曲げた形状に形成されており、
前記ウエイト部材の前記案内凹部と、前記止め部材の前記曲げた形状の内側面とによって、前記支柱を前記ウエイト部材に対して保持することができるように構成される、
ことを特徴とする支柱支持部材。
【請求項１６】
構造物の支柱を支持するための支柱支持部材であって、
前記支柱の外周側面の一部を案内するためのウエイト部材を備え、
該ウエイト部材は、
少なくとも一部が垂直方向に延びる外周側面と、
前記外周側面に連続して形成され、かつ、垂直方向に延び、かつ、前記支柱の外周側面の一部を案内するための案内凹部とを有しており、
さらに、前記支柱を前記ウエイト部材に対して保持するために、前記ウエイト部材に対して固定されるようになっている止め部材を含んでおり、
前記止め部材は、板を曲げた形状に形成されており、
前記ウエイト部材の前記案内凹部と、前記止め部材の前記曲げた形状の内側面とによって、前記支柱を前記ウエイト部材に対して保持することができるように構成される、
ことを特徴とする支柱支持部材。
【請求項１７】
液体及び／又は固体を収容するための収容部が、前記ウエイト部材に設けられることを特徴とする請求項１３〜１６のいずれか１項に記載の支柱支持部材。
【請求項１８】
前記ウエイト部材の収容部は、前記ウエイト部材に対して着脱可能なように入れ子式に設けられることを特徴とする請求項１７に記載の支柱支持部材。
【請求項１９】
前記止め部材の一部を受け入れて前記止め部材を前記ウエイト部材に固定するための受入部が、前記ウエイト部材に設けられることを特徴とする請求項１３〜１６のいずれか１項に記載の支柱支持部材。
【請求項２０】
複数のウエイト部材を連結するための連結アームを取り付けるためのアーム取付部が、前記ウエイト部材に設けられることを特徴とする請求項１３〜１６のいずれか１項に記載の支柱支持部材。
【請求項２１】
上部構造部材付きの構造物であって、
複数の支柱と、
前記支柱に取り付けられた上部構造部材と、
前記それぞれの支柱を支持するために前記それぞれの支柱に対して配置された、請求項１〜２０のいずれか１項に記載の支柱支持部材と、
を備えることを特徴とする構造物。
【請求項２２】
前記支柱支持部材のウエイト部材は、前記上部構造部材から外部に出っ張らないように配置されることを特徴とする請求項２１に記載の支柱支持部材。
【請求項２３】
前記支柱支持部材のウエイト部材は、前記構造物の内部空間に位置しないように配置されることを特徴とする請求項２１に記載の支柱支持部材。
【請求項２４】
上部構造部材を備えたテントであって、
複数の支柱と、
前記支柱に取り付けられ、かつ、上部構造部材を構成する天蓋と、
前記それぞれの支柱を支持するために前記それぞれの支柱に対して配置された、請求項１〜２０のいずれか１項に記載の支柱支持部材と、
を備えることを特徴とするテント。
【請求項２５】
前記支柱支持部材のウエイト部材は、前記天蓋から外部に出っ張らないように配置されることを特徴とする請求項２４に記載のテント。
【請求項２６】
前記支柱支持部材のウエイト部材は、前記テントの内部空間に位置しないように配置されることを特徴とする請求項２４に記載のテント。
【国際調査報告】
2005005755.tif 000025
2005005755.tif 000026
2005005755.tif 000027
2005005755.tif 000028